(57)【要約】 【課題】所定条件が満たされたか否かを容易に把握して管理できるチェックシートの提供。【解決手段】チェックシート１の表シート２には第１表示部２２が形成され、第１表示部２２は第１基端部Ｅ１から延出すると共に第１基端部Ｅ１を中心に揺動可能とされている。表シート２の下面側に積層された裏シート３には第２表示部３２が形成され、第２表示部３２は第２基端部Ｅ３から第１表示部２２とは反対の方向に延出すると共に、第２基端部Ｅ３を中心に揺動可能とされ、第１表示部２２と第２表示部３２とには互いに異なる表示が付されている。第１表示部２２及び第２表示部３２は、第１表示部２２が第２表示部３２の上面側に位置する第１状態と、第２表示部３２が第１表示部２２の上面側に位置する第２状態との間で切替可能あって、所定条件が満たされた場合には、使用者によって第１状態から前記第２状態へ切り替えられる。【選択図】図３
2014034151.tif 000002
【特許請求の範囲】
【請求項１】
所定条件が満たされたか否かを把握するためのチェックシートであって、
表シートと、前記表シートの下面側に積層された裏シートとを備え、
前記表シートには第１表示部が形成され、前記第１表示部は第１基端部から第１方向に延出すると共に前記第１基端部を中心に揺動可能とされ、
前記裏シートには、前記第１表示部に対応して第２表示部が形成され、前記第２表示部は第２基端部から前記第１方向と反対の第２方向に延出すると共に、前記第２基端部を中心に揺動可能とされ、
前記第１表示部の上面と前記第２表示部の上面とには、互いに異なる表示が付されており、
前記第１表示部及び前記第２表示部は、各々が前記第１基端部及び前記第２基端部を中心として揺動することにより、前記第１表示部が前記第２表示部の上面側に位置する第１状態と、前記第２表示部が前記第１表示部の上面側に位置する第２状態との間で切替可能あって、前記所定条件が満たされた場合には、使用者によって前記第１状態から前記第２状態へ切り替えられることを特徴とするチェックシート。
【請求項２】
前記第１方向において、前記第１表示部の長さは前記第２表示部の長さよりも長く設定されていることを特徴とする請求項１に記載のチェックシート。
【請求項３】
前記第１表示部の自由端部は、前記第２表示部の前記第２基端部よりも、前記第１基端部寄りに位置することを特徴とする請求項１又は２に記載のチェックシート。
【請求項４】
前記表シートには、前記第１基端部を除く前記第１表示部の周縁部に沿って切り込み線又は開口部が形成され、前記裏シートには、前記第２基端部を除く前記第２表示部の周縁部に沿って開口部が形成されていることを特徴とする請求項１〜３の何れかに記載のチェックシート。
【請求項５】
前記表シート及び前記裏シートは弾性材料からなることを特徴とする請求項１〜４の何れかに記載のチェックシート。
【請求項６】
前記表シートには前記第１表示部が複数形成され、前記裏シートには、前記複数の第１表示部の各々に対応させて前記第２表示部が複数形成されていることを特徴とする請求項１〜５の何れかに記載のチェックシート。
【請求項７】
前記所定条件は服薬であることを特徴とする請求項６に記載のチェックシート。
【発明の詳細な説明】
【技術分野】
【０００１】
本発明は、所定条件が満たされたか否かを把握するためのチェックシートに関する。
【背景技術】
【０００２】
例えば、一般的な処方薬は数日〜数週間分がまとめて処方され、患者は決められたタイミングでこれを服用することが多い。しかしながら、毎日繰り返し服用していると、既に服用したか否かの記憶が曖昧になり、薬を服用し忘れたり、逆に二重に服用してしまったりする恐れがあった。このように、薬の服用に限らず、特定の行為が既に成されたか否かの管理を記憶だけに頼るには限界があり、ヒトの記憶に代わって管理できる管理具に対する要望があった。
【０００３】
例えば、特許文献１に開示の服用管理具は、印刷された服用日時に対応させて形成された保持スリットにＰＴＰシートの薬を収容保持させるように構成されている。このように構成された服薬管理具においては、服用日時の表示に従って薬を服用することで、薬の服用を管理することができる。
【先行技術文献】
【特許文献】
【０００４】
【特許文献１】特開２００７−２８２８２２号公報
【発明の概要】
【発明が解決しようとする課題】
【０００５】
しかしながら、特許文献１に開示されている服用管理具は、薬の服用管理のみを目的としており、薬の服用以外の行為について管理することは想定していない。また薬の服用についても、管理対象となるのはＰＴＰシートの薬のみであって、例えば塗布薬や液薬等については管理対象とされていない。
【０００６】
本発明の目的は、服薬に限らず、所定条件が満たされたか否かを容易に把握して管理できるチェックシートを提供することである。
【課題を解決するための手段】
【０００７】
本発明の請求項１に記載のチェックシートは、所定条件が満たされたか否かを把握するためのチェックシートであって、
表シートと、前記表シートの下面側に積層された裏シートとを備え、
前記表シートには第１表示部が形成され、前記第１表示部は第１基端部から第１方向に延出すると共に前記第１基端部を中心に揺動可能とされ、
前記裏シートには、前記第１表示部に対応して第２表示部が形成され、前記第２表示部は第２基端部から前記第１方向と反対の第２方向に延出すると共に、前記第２基端部を中心に揺動可能とされ、
前記第１表示部の上面と前記第２表示部の上面とには、互いに異なる表示が付されており、
前記第１表示部及び前記第２表示部は、各々が前記第１基端部及び前記第２基端部を中心として揺動することにより、前記第１表示部が前記第２表示部の上面側に位置する第１状態と、前記第２表示部が前記第１表示部の上面側に位置する第２状態との間で切替可能あって、前記所定条件が満たされた場合には、使用者によって前記第１状態から前記第２状態へ切り替えられることを特徴とする。
【０００８】
請求項２に記載のチェックシートは、前記第１方向において、前記第１表示部の長さは前記第２表示部の長さよりも長く設定されていることを特徴とする。
【０００９】
請求項３に記載のチェックシートは、前記第１表示部の自由端部は、前記第２表示部の前記第２基端部よりも、前記第１基端部寄りに位置することを特徴とする。
【００１０】
請求項４に記載のチェックシートは、前記表シートには、前記第１基端部を除く前記第１表示部の周縁部に沿って切り込み線又は開口部が形成され、前記裏シートには、前記第２基端部を除く前記第２表示部の周縁部に沿って開口部が形成されていることを特徴とする。
【００１１】
請求項５に記載のチェックシートは、前記表シート及び前記裏シートは弾性材料からなることを特徴とする。
【００１２】
請求項６に記載のチェックシートは、前記表シートには前記第１表示部が複数形成され、前記裏シートには、前記複数の第１表示部の各々に対応させて前記第２表示部が複数形成されていることを特徴とする。
【００１３】
請求項７に記載のチェックシートは、前記所定条件は服薬であることを特徴とする。
【発明の効果】
【００１４】
本発明の請求項１に記載のチェックシートによれば、第１表示部の上面と第２表示部の上面とには互いに異なる表示が付されているので、所定条件が満たされた場合には、第１表示部が第２表示部の上面側に位置する第１状態から第２表示部が第１表示部の上面側に位置する第２状態へ切り替えることにより、所定条件がすでに満たされたか否かをチェックシートを目視するだけで容易に把握することができ、よって、チェックシートを用いることにより所定条件が満たされたか否かを容易に把握して管理できる。
【００１５】
本発明の請求項２に記載のチェックシートによれば、第１表示部は第２表示部よりも長く設定されているので、第１状態と第２状態との切替をスムーズに行うことができる。
【００１６】
本発明の請求項３に記載のチェックシートによれば、第１表示部の自由端部は、第２表示部の第２基端部よりも第１基端部寄りに位置するので、第１状態と第２状態との切替をスムーズに行うことができる。
【００１７】
本発明の請求項４に記載のチェックシートによれば、表シートには、第１基端部を除く第１表示部の周縁部に沿って切り込み線又は開口部が形成され、裏シートには、第２基端部を除く第２表示部の周縁部に沿って開口部が形成されているので、第１表示部及び第２表示部の各々を第１基端部及び第２基端部を中心として揺動できる。
【００１８】
本発明の請求項５に記載のチェックシートによれば、表シート及び裏シートは弾性材料からなるため、弾性材料の弾性力を利用して第１状態と第２状態との切替をスムーズに行うことができる。
【００１９】
本発明の請求項６に記載のチェックシートによれば、第１表示部及び第２表示部がそれぞれ複数形成されているので、複数の所定条件に対応することができる。
【００２０】
本発明の請求項７に記載のチェックシートによれば、服薬の有無を管理できるので、服薬し忘れたり、誤って二重に服薬することを防止できる。
【図面の簡単な説明】
【００２１】
【図１】本発明の実施形態に係るチェックシートの平面図。
【図２】図１に示すチェックシートの分解斜視図。
【図３】図１のＩＩＩ―ＩＩＩ線断面図であって、（ａ）は、チェックシートの第１状態を示す図、（ｂ）は、（ａ）の状態から第１表示部が下面側に押された状態を示す図、（ｃ）は（ｂ）の状態から第１表示部が更に下面側に押された状態を示す図、（ｄ）はチェックシートの第２状態を示す図。
【図４】チェックシートの第２状態を示す平面図。
【図５】チェックシートの実施例を示す平面図。
【図６】図５に示すチェックシートの裏シートを示す図。
【図７】図５に示すチェックシートの平面図であって、月曜の朝に対応する表示部が第２状態とされた状態を示す図。
【発明を実施するための最良の形態】
【００２２】
以下、添付図面を参照して、本発明に従うチェックシートの一実施形態について説明する。
【００２３】
図１〜図４を参照して、図示のチェックシート１は、表シート２と裏シート３とを積層して構成されている。これら表シート２及び裏シート３は例えば合成樹脂や紙等の弾性材料から形成されている。表シート２と裏シート３は、２枚のシートを重ね合わせ、その一端を接続させることにより構成されても良く、或いは１枚のシートを二つ折りにして構成されても良い。
【００２４】
表シート２には略円形状の第１表示部２２が設けられている。また、表シート２には、第１表示部２２の周縁部に沿って、上向き略Ｃ型の切り込み線２３が形成されている。当該構成により、第１表示部２２はその上端部を基端部（第１基端部）Ｅ１として、基端部Ｅ１から下方（第１方向）に延出すると共に、その自由端部Ｅ２が基端部Ｅ１を中心に表シート２の厚み方向に揺動可能とされている。
【００２５】
裏シート３には、第１表示部２２に対応する位置に第２表示部３２が設けられている。また、裏シート３には、第２表示部３２の周縁部に沿って下向き略三日月型の開口部３４が形成されている。当該構成により、第２表示部３２は、その下端部を基端部（第２基端部）Ｅ３として、基端部Ｅ３から上方（第２方向）に延出すると共に、その自由端部Ｅ４が基端部Ｅ３を中心に裏シート２の厚み方向に揺動可能とされている。
【００２６】
図３（ａ）に示す様に、上下方向（図３における左右方向）において、第１表示部２２の自由端部Ｅ２は、第２表示部３２の基端部Ｅ３と自由端部Ｅ４との間に位置している。換言すると、第１表示部２２の自由端部Ｅ２は、第２表示部３２の基端部Ｅ３よりも第１表示部２２の基端部Ｅ１寄りに位置している。また、第２表示部３２の自由端部Ｅ４は第１表示部２２の基端部Ｅ１と自由端部Ｅ２との間に位置している。更に、第２表示部３２は第１表示部２２よりも幾分短く形成されている。
【００２７】
第１表示部２２の上面と第２表示部３２の上面（表シート２と接する面）の各々には、それぞれ異なる表示が識別可能に施されている。ここでは、それぞれ異なる表示として第１表示部２２の上面はブランク、第２表示部３２の上面には斜線が施されている。
【００２８】
このように構成されたチェックシート１においては、初期状態では第２表示部３２は第１表示部２２の下面側に位置し、チェックシート１の上面側から第２表示部３２を視認することはできない（図１及び図３（ａ）参照）。この状態をここでは「第１状態」と称するものとする。この第１状態において、使用者が第１表示部２２を上面側から下面側へ指で押し込むと、第１表示部２２はその基端部Ｅ１を中心に自由端部Ｅ２が下方に移動するように揺動し、また、このような第１表示部２２の移動によって第２表示部３２が下方に押し込まれ、第２表示部３２はその基端部Ｅ３を中心に自由端部Ｅ４が下方に移動するように揺動する（図３（ｂ）参照）。第１表示部２２を更に押し込むと、第２表示部３２の自由端部Ｅ４は第１表示部２２の上面側へ滑り込むようにして移動する（図３（ｃ）参照）。このとき、上述したように、第２表示部３２は第１表示部２２よりも幾分短く形成され、また第１表示部２２の自由端部Ｅ２が第２表示部３２の基端部Ｅ３よりも第１表示部２２の基端部Ｅ１寄りに位置していることから、第２表示部３２の自由端部Ｅ４を第１表示部２２の上面側へスムーズに滑り込ませることができる。
【００２９】
この状態で使用者が指を離すと、第１及び第２表示部２２,３２は、その弾性力によって表シート２及び裏シート３の残部に対して実質的に平行な状態に戻り、第１表示部２２の上面側に第２表示部３２が位置した状態で維持される（図３（ｄ）参照）。この状態をここでは特に「第２状態」と称するものとし、この第２状態においては、図４に示す様に、チェックシート１の上面側から第２表示部３２が視認可能とされる。
【００３０】
また、このような第２状態において、表シート２を裏シート３から剥がすようにして両者を分離させる、或いはチェックシート１の下面側から第１表示部２２を上面側へ押し込むと、上述したのとは逆に第２表示部３２は第１表示部２２の下面側へ移動し、上述した第１状態に戻る。
【００３１】
本実施形態におけるチェックシート１は上述の通りに構成されていることから、所定条件が満たされた場合、例えば使用者が服薬等の所定行為を行った場合には、チェックシート１を第１状態から第２状態へ切り替えればよい。第２表示部３２には、第１表示部２２とは異なる表示が付されていることから、使用者はチェックシート１を目視するだけで、上記所定条件が既に満たされているか否かを容易に確認することができる。また、上述の様にして第２状態から第１状態へ戻すことにより、チェックシート１を繰り返し使用することができる。
【００３２】
［実施例］
次に、本発明のチェックシートの実施例について説明する。当該実施例においては、服薬の有無を把握し管理するための服薬チェックシートとして構成した。
【００３３】
図５〜図７を参照して、図示の服薬チェックシート１Ａは一週間分の服薬を管理できるように構成されており、表シートＡ２の上面には、その上端に沿って曜日（月〜日）及び日付記入欄が横方向に一列に印刷され、その左端に沿って時刻（あさ、ひる、よる、寝る前）が縦方向に印刷されている。また、表シート２Ａには各曜日の各時刻に対応させて計２８個の第１表示部２２が形成されており、裏シート３Ａにも同様に計２８個の第２表示部３２が形成されている。
【００３４】
この実施例では、第１表示部２２の上面には水が入ったコップと錠剤のイラスト２５が印刷されており、第２表示部３２の上面には顔のイラスト３５が印刷されている。
【００３５】
使用者が服薬した場合には、その曜日／日付と時刻に対応する表示部（第１及び第２表示部２２，３２）を第２状態に切り替える。即ち、例えば月曜の朝に服薬した場合には、月曜の朝に対応する第１表示部２２を押し込んで、これに対応する第２表示部３２を第１表示部２２の上面側に位置させる。すると、図７に示す様に、第２表示部３２に付された顔のイラスト３５が服薬チェックシート１Ａの上面側から視認可能となり、これにより月曜の朝は服薬済みであることを容易に確認できるようになる。一週間分の服薬管理が終了したら、上述の方法によって全ての表示部を第１状態に戻すことにより、服薬チェックシート１Ａを繰り返し利用することができる。
【００３６】
以上、本発明の実施形態に係るチェックシートについて添付の図面を参照して説明したが、本発明はかかる実施形態に限定されず、本発明の範囲を逸脱することなく種々の変形乃至修正が可能である。
【００３７】
例えば、上述した実施形態では、第１表示部は略円形状に、第２表示部３２は略楕円形状に構成したが、第１及び第２表示部２２,３２の形状はこれらに限定されず、例えば三角形や四角形等の多角形あってもよく、或いは半円形状であってもよい。
【００３８】
また、上述した実施形態においては、第１表示部２２の周縁部に沿って切り込み線２３を形成したが、切り込み線２３に代えて開口部を形成してもよい。
【産業上の利用可能性】
【００３９】
本発明に係るチェックシートは、薬の服薬管理に限定されず、例えば外出時における持ち物チェック、就寝時における戸締まりチェック、或いは筋肉トレーニングのメニュー管理等、種々の用途に利用できる。
【符号の説明】
【００４０】
１  チェックシート
１Ａ  服薬チェックシート
２  表シート
３  裏シート
２２  第１表示部
２３  切り込み線
３２  第２表示部
３４  開口部
Ｅ１，Ｅ３  基端部
Ｅ２，Ｅ４  自由端部
【図１】
2014034151.tif 000003
【図２】
2014034151.tif 000004
【図３】
2014034151.tif 000005
【図４】
2014034151.tif 000006
【図５】
2014034151.tif 000007
【図６】
2014034151.tif 000008
【図７】
2014034151.tif 000009